(57)【特許請求の範囲】
【請求項１】
開閉部材が閉鎖位置のときには入賞口からの遊技球の入球が不可能となり、前記開閉部材が開放位置のときには遊技球の入球が可能となり、前記開閉部材が前記閉鎖位置と前記開放位置の間を往復移動するように構成された遊技機の入賞装置において、
ソレノイドがプランジャーを上方向に電磁駆動し下方向はプランジャー自重により駆動する駆動部と、
前記プランジャーと係合し前記プランジャーの上下方向の駆動に応じて、上下方向に動作する第１連結部材と、
回転中心軸を備え、この回転中心軸の回りに回動自在に動作することにより、前記開閉部材を回動させる第２連結部材と、
一端部が固定され、他端部が前記第２連結部材と連結するバネと、
前記開閉部材を閉鎖位置で停止させるストッパ部と、を設け、
前記第１連結部材は連携部材とロック部を備え、
前記第２連結部材は連携部材とロック部を備え、
前記第１連結部材の連携部材と、前記第２連結部材の連携部材とが上下方向に遊びを有するように遊嵌され、
前記開閉部材が閉鎖位置において、前記第１連結部材の連携部材と前記第２連結部材の連携部材の間に上下方向の隙間が形成され、前記第２連結部材の回動を、前記第１連結部材のロック部と前記第２連結部材のロック部とでロックし、前記バネの弾性力と前記ストッパ部により前記第２連結部材の位置が保持されるとともに、前記バネの弾性力と前記ストッパ部により、前記第１連結部材のロック部と前記第２連結部材のロック部との間に、該第１連結部材のロック部と該第２連結部材のロック部との衝突および噛みこみを防止する最小距離の隙間が維持されること、
前記開閉部材を閉鎖位置から開放位置に移行させる場合、前記プランジャーが前記ソレノイドに吸引されて上方に移動するとともに前記第１連結部材も上方へ移動し、当該上方への移動に伴い、第１連結部材のロック部と第２連結部材のロック部とのロックが解除されるとともに、前記第１連結部材の連携部材と前記第２連結部材の連携部材が接合し、前記第２連結部材と前記開閉部材が、前記バネの弾性力に抗して、開放側に回動すること、および、
前記開閉部材を開放位置から閉鎖位置に移行させる場合、前記プランジャーの自重により前記第１連結部材が下降するともに、前記バネの弾性力により前記第２連結部材と前記開閉部材が閉鎖側に回動することを特徴とする遊技機の入賞装置。
【発明の詳細な説明】
【技術分野】
【０００１】
本発明は、入賞可能な入賞口を開閉部材で開閉する、遊技機の入賞装置に関する。
【背景技術】
【０００２】
特許文献１において、第２特別入賞ソレノイド(52)の駆動に伴い遊技球が入賞可能な入賞口(51)を開閉部材(53)で開閉する入賞装置(50)を備えた遊技機において、入賞装置(50)は、開閉部材(53)に設けられ、入賞口(51)を開閉部材(53)が閉鎖する閉鎖位置および入賞口(51)を開閉部材(53)が開放する開放位置の間を開閉部材(53)と一体的に変位する連繋軸部(84)および規制部(85)と、第２特別入賞ソレノイド(52)に配設され、第２特別入賞ソレノイド(52)の駆動に伴い開閉部材(53)の開放を規制するロック位置および開閉部材(53)の開放位置に対応した作動位置に上下方向に往復移動するよう構成されると共に、常にはロック位置へ向けて付勢された作動部材(86)を備える。
【０００３】
この作動部材(86)は、連繋軸部(84)と係脱可能に係合し、作動部材(86)のロック位置から作動位置への変位に伴い開閉部材(53)を閉鎖位置から開放位置へ変位させる開閉作動部(89)と、規制部(85)と係脱可能に係合し、規制部(85)との係合作用下において開閉部材(53)の閉鎖位置から開放位置への変位を規制するロック部(86a)とを備える。作動部材(86)がロック位置にある状態では、開閉作動部(89)と連繋軸部(84)との係合が解除されると共に規制部(85)とロック部(86a)とが係合して開閉部材(53)の閉鎖位置から開放位置への変位が規制され、作動部材(86)がロック位置から作動位置へ向けて変位する過程のロック解除位置で、規制部(85)とロック部(86a)との係合が解除されると共に開閉作動部(89)と連繋軸部(84)とが係合し、ロック解除位置から作動位置へ作動部材(86)が変位することで、開閉部材(53)が閉鎖位置から開放位置へ変位される。
【０００４】
これにより、開閉部材(53)を直接、開放操作しても入賞口を開放することができず、開閉部材(53)の不正開放を阻止することができる。第２特別入賞ソレノイド(52)の駆動に伴い、開閉部材(53)をロックする状態とロック解除する状態とに切り替わるので、入賞装置全体のコンパクト化が図られる。
【０００５】
さらに、機構収容部（77）は、作動部材(86)の後方および左右側方を囲繞する枠形状に形成され、前面に支持片(77a)が設けられている。支持片(77a)は、作動部材(86)がロック位置に移動した際に、作動部材(86)が当接するようになっており、作動部材(86)をロック位置で停止保持させるストッパとして機能する。
【先行技術文献】
【特許文献】
【０００６】
【特許文献１】特開2012-249904号公報
【発明の開示】
【発明が解決しようとする課題】
【０００７】
しかしながら、特許文献１に記載の発明には規制部(85)とロック部(86a)との係合、開閉作動部(89)と連繋軸部(84)とが係合、ストッパ（77a）によるストップが記載され、入賞装置(50)は、ロック位置（図１３）と、ロック解除位置（図１５(a)）と、作動位置（図１５(b)）の３つが記載され、開閉部材(53)の開閉はロック位置で規制されるものの、開閉部材(53)と連携軸部(84)と規制部(85)が一体的に変位するため、構造上、ロック位置とロック解除位置の切り替えを円滑にするためには、開閉部材(53)の閉鎖時に、規制突部(85)とロック部(86a)には隙間が必要である。閉鎖時に、規制突部(85)とロック部(86a)の隙間をあまり狭くし過ぎると、開閉部材（53）のガタついた場合、作動部材(86)が下降するときに、担ぎやひっかかりの不具合がある可能性がある。さらに開閉部材(53)の閉鎖時に、隙間を大きくすると外力による羽根開放不正時の開放角度が徐々に大きくなり、異物等の侵入がなされやすくなる。この隙間にて、結果的に、開閉部材(53)の閉鎖時に開閉部材(53)にガタができるという構造上の問題がある。
【０００８】
このガタにより、遊技球が開閉部材(53)に衝突するたびに小刻みに揺動し、結果、連携軸部(84)の摩耗と作動部材(86)を止めるストッパ（77a）の摩耗の要因となり、ガタ量が徐々に増大してゆくという問題がある。
【０００９】
さらに、開閉部材(53)がロック位置に移動するときに作動部材(86)がストッパ(77a)に当たり、開閉部材(53)がバウンドし、ガタガタと動くこととなる。
【課題を解決するための手段】
【００１０】
上記課題に鑑み、本発明の遊技機の入賞装置は、開閉部材が閉鎖位置のときには入賞口からの遊技球の入球が不可能となり、前記開閉部材が開放位置のときには遊技球の入球が可能となり、前記開閉部材が前記閉鎖位置と前記開放位置の間を往復移動するように構成された遊技機の入賞装置において、ソレノイドがプランジャーを上方向に電磁駆動し下方向はプランジャー自重により駆動する駆動部と、前記プランジャーと係合し前記プランジャーの上下方向の駆動に応じて、上下方向に動作する第１連結部材と、回転中心軸を備え、この回転中心軸の回りに回動自在に動作することにより、前記開閉部材を回動させる第２連結部材と、一端部が固定され、他端部が前記第２連結部材と連結する引張りコイルバネ（以下、バネという。）と、前記開閉部材を閉鎖位置で停止させるストッパ部と、を設け、前記第１連結部材は連携部材とロック部を備え、前記第２連結部材は連携部材とロック部を備え、前記第１連結部材の連携部材と、前記第２連結部材の連携部材とが上下方向に遊びを有するように遊嵌され、前記開閉部材が閉鎖位置において、前記第１連結部材の連携部材と前記第２連結部材の連携部材の間に上下方向の隙間が形成され、前記第２連結部材の回動を、前記第１連結部材のロック部と前記第２連結部材のロック部とでロックし、前記バネの弾性力と前記ストッパ部により前記第２連結部材の位置が保持されるとともに、前記バネの弾性力と前記ストッパ部により、前記１連結部材のロック部と前記第２連結部材のロック部との間に、該第１連結部材のロック部と該第２連結部材のロック部との衝突および噛みこみを防止する最小距離の隙間が維持されること、前記開閉部材を閉鎖位置から開放位置に移行させる場合、前記プランジャーが前記ソレノイドに吸引されて上方に移動するとともに前記第１連結部材も上方へ移動し、当該上方への移動に伴い、第１連結部材のロック部と第２連結部材のロック部とのロックが解除されるとともに、前記第１連結部材の連携部材と前記第２連結部材の連携部材が接合し、前記第２連結部材と前記開閉部材が、前記バネの弾性力に抗して、開放側に回動すること、および、前記開閉部材を開放位置から閉鎖位置に移行させる場合、前記プランジャーの自重により前記第１連結部材が下降するともに、前記バネの弾性力により前記第２連結部材と前記開閉部材が閉鎖側に回動することを特徴とする。
【００１４】
具体態様としては、前記第１連結部材が円環状部材を備え、前記第２連結部材から突出する連携ピンと遊嵌され、円環状部材と連携ピンとの間に隙間が形成され、閉鎖位置から開放位置へ移行、または開放位置から閉鎖位置に移行するに当たり、円環状部材と連携ピンとが接合することが好ましい。
【発明の効果】
【００１５】
本発明によれば、第２連結部材側にバネを設け、開閉部材の閉鎖位置において、開閉部材が常に閉鎖する方向になるように、バネにて第２連結部材に弾性力をかけているため、開閉部材の閉鎖時のガタツキやバウンドを防止する（通常作動時は弾性力が働くためガタは解消でき、不正時のガタが最小限となる）ことにより、遊技球の開閉部材への衝突による小刻みな開閉動作を解消できるため、開閉部材の開口時間を正確に制御できる。また、開閉部材を開閉限で停止させるストッパ部の摩耗を防止でき、耐久性も向上する。さらに第１連結部材と第２連結部材の隙間（遊び分）も最小限にできるため、不正による開閉部材の開放を最小限にできる。
【００１６】
本発明によれば、開閉部材と第１連結部材と第２連結部材とを別体とし、ソレノイドで第１連結部材を駆動し、バネで第２連結部材の位置を制御することで、安定したロックが可能である。外部から開閉部材を開放しようとしてもバネの弾性力で第２連結部材の位置が保持され、遊技者が無理に開閉部材を開けようと動かしても、第２連結部材の回動が第１連結部材によりロックされ、開閉部材の開放が阻止されるので、不正防止に寄与できる。ソレノイドで第１連結部材を動かすことで、ロック部を過ぎると連携部材の連携により、第２連結部材が回動するので、ロックが円滑に解除できる。
【図面の簡単な説明】
【００１７】
【図１】本発明実施形態のパチンコ機用入賞装置１の背面側からの斜視図である。
【図２】本発明実施形態のパチンコ機用入賞装置１の背面側からの別の角度からの斜視図である。
【図３】本発明実施形態のパチンコ機用入賞装置１の開放位置での背面図である。
【図４】本発明実施形態のパチンコ機用入賞装置１の閉鎖位置での背面図である。
【図５】本発明実施形態のパチンコ機用入賞装置１の右側面図である。
【図６】本発明実施形態のパチンコ機用入賞装置１の正面図である。
【図７】図４の第１連結部材と第２連結部材の部分拡大図である。
【図８】本発明実施形態のパチンコ機用入賞装置１の正面写真図である。
【図９】本発明実施形態のパチンコ機用入賞装置１の背面写真図である。
【発明を実施するための形態】
【００１８】
以下に本発明の実施形態のパチンコ機の入賞装置１（以下、単に入賞装置１という。）を挙げて図面を参照して説明する。
【００１９】
この入賞装置１は、プラスチック製の外殻構造１ａ（図８、図９参照）と、表側と裏側に分割するべく縦方向に仕切る仕切構造１ｂと、開閉部材２とを備えている。この開閉部材２は片開き構造であり、開閉部材２が閉鎖位置のときには入賞口（図示略）からの遊技球(図示略)の入球が不可能となり、開閉部材２が開放位置のときには遊技球の入球が可能となり、開閉部材２が閉鎖位置と開放位置の間を往復移動するように構成されたものである。
【００２０】
この入賞装置１は、図１〜図７に示す通り、ソレノイド３ａがプランジャー３ｂを上下方向に電磁駆動する駆動部３と、プランジャー３ｂと係合しプランジャー３ｂの上下方向の駆動に応じて、上下方向に動作する第１連結部材４と、回転中心軸となる回転軸５ａを備え、この回転軸５ａの回りに回動自在に動作することにより、開閉部材２を回動させる第２連結部材５と、第２連結部材５と連結し開閉部材２を回動させる軸部材６と、一端部７ａが固定され、他端部７ｂが第２連結部材５と連結するバネ７と、を設けている。以下、構成要素を詳細に説明する。
【００２１】
開閉部材２は、羽根２ａと、羽根２ａの回転中心となり仕切構造１ｂに軸着された固定軸２ｂとから構成される。
【００２２】
駆動部３は、ソレノイド３ａを収容する保持部材３ｃを備え、保持部材３ｃの下端にプランジャー３ｂが出入りする開口を有している。ここではソレノイド３ａによるプランジャー３ｂの駆動距離は上下方向に５〜６ｍｍが例示される。
【００２３】
第１連結部材４は、外表面を区画する外郭４ａと、横方向に貫通する貫通孔を有する円環状部材である連携部材４ｂと、プランジャー３ｂの下端の鍔部を差し込んで係止する溝部４ｃと、を備えている。
【００２４】
第２連結部材５は、クランク形状とされ、その略中心に配置される回転軸５ａと、３方向に角度をなして、それぞれ、突出するアーム５ｂ〜５ｄと、バネ７の他端部７ｂを取り付ける取付部５ｅと、回転軸５ａ近傍から第１連結部材４に向かって横方向に突出するリブ５ｆと、連携部材４ｂと遊嵌され軸方向に突出する連携ピン５ｇを備えている。図７に示す通り、リブ５ｆは、連携部材４ｂの第１連結部材４側にある外郭４ａと対向し、この外郭４ａに対して上方にゆくに従いその距離が離隔するような傾斜面を有する。
【００２５】
軸部材６は、回動自在に、入賞装置１の外殻構造１ａと仕切構造１ｂ（図７参照）に支持されるとともに開閉部材２が固定される回転軸６ａと、この回転軸６ａに固定するとともに第２連結部材５のアーム５ｂに遊嵌し、軸方向に突出させた軸５ｈを設けたリンク部材６ｂと、を備えている。このリンク部材６ｂにより、開閉部材２の開閉位置にかかわらず、回転軸６ａと軸５ｈの間隔が一定になるように維持される。
【００２６】
図７に示す通り、開閉部材２の閉鎖位置において、連携部材４ｂと連携ピン５ｇとの間に隙間９が形成され、閉鎖位置から開放位置へ移行する際に、外郭４aが上下移動すると、連携部材４ｂと連携ピン５ｇとが接合する。
【００２７】
バネ７は引張りコイルスプリング構造であり、軸線方向が縦方向に配置され、その一端部７ａは外殻構造１ａに締結部材で固定され、他端部７ｂが第２連結部材５の取付部５ｅに掛止される。このとき、バネ７は自然長から引張されて設置されており、開放位置と閉鎖位置と中間位置のいずれでも、常に、バネ７は第２連結部材５のアーム５ｃを時計方向に回動させる、すなわち、開閉部材２を閉じる方向に動くような弾性力を、アーム５ｃに対して作用させる。図６に示す通り、閉鎖位置では、開閉部材２がストッパ１０に当たり、開放位置では、開閉部材２がストッパ１１に当たり、第２連結部材５の閉鎖と開放方向の回動限度を規制する。バネ７による弾性力が第２連結部材５の位置を保持する保持力となる。
【００２８】
ソレノイド３ａの電磁力を通常よりも少し強いものとし、ソレノイド３ａの電磁力よりもバネ７の弾性力を弱くすることが好ましい。これらの調整は入賞装置１の仕様に応じて、適宜行うことができる。このように、開閉部材２の閉鎖位置において、ストッパ１０とバネ７の弾性力により第２連結部材５の位置が正確に保持される。
【００２９】
図７に示す通り、第２連結部材５のリブ５ｆと、第１連結部材４の外郭４ａとの間に隙間８が維持される。隙間８は最小距離に維持され、例えば、０．１ｍｍの狭い間隔に設定される。この隙間８により、第１連結部材４と第２連結部材５とが衝突したり噛みこんだりする等の干渉現象を防止でき、ロック及びロック解除を支障なく安定的に行うことができる。
【００３０】
本実施形態の入賞装置１の動作について図面を参照して説明する。
【００３１】
開閉部材２を図３の開放位置から図６の閉鎖位置に移行させる場合、ソレノイド３ａが励磁状態から非励磁状態となり、図３に示す通り、プランジャー３ｂが自重で下降し、ソレノイド３ａから下方に移動するとともに第１連結部材４も下方へ移動し、この下方への移動に伴い、連携部材４ｂの内部の下辺が連携ピン５ｇに当接し、連携ピン５ｇの下降に伴い、一緒に追従して、第２連結部材５が回転軸５ａを中心として時計方向に回動する。プランジャー３ｂの自重により第１連結部材１が下降することに加えて、引き伸ばされたバネ７が自然長に戻ろうとする弾性力が働くので、バネ７から第２連結部材５を時計方向に回動させようとする弾性力が働き、これにより、アーム５ｄも時計方向に回動する。これに伴い、回転軸５ａを中心として軸５ｈが時計方向に回動し、リンク部材６ｂが揺動し、回転軸６ａが固定軸２ｂの回りに時計方向に回動する。これに伴い、隙間８の関係が変化し、リブ５ｆと外郭４ａが接近する方向に移動する。
【００３２】
開閉部材２がストッパ１０に当たると、第２連結部材５のリブ５ｆと第１連結部材４の外郭４ａで隙間を保持した状態で、バネ７の弾性力とストッパ１０で開閉部材２を閉鎖位置で固定する。これにより、開閉部材２、第２連結部材５、バネ７の位置が固定されるので、弾性力は第１連結部材４に働かなくなる。そこからは、プランジャー３ｂと第１連結部材４の自重を利用して、所定距離、例えば、リブ５fの厚さ分の区間、プランジャー３ｂと第１連結部材４とが、その位置が保持されている第２連結部材５（連携ピン５g）に対して、一体的に下降し、安定点である下限位置に到達することで、ロックが完了し、連携部材４ｂと連携ピン５ｇの間隔９が開けられるとともに、リブ５ｆと外郭４aとの隙間が約０．１ｍｍとなる（図７参照）。
【００３３】
このように、バネ７からアーム５ｃに対して時計方向に回動させる弾性力が働き、また、外郭４ａによってリブ５ｆの右方向への回動が阻止され、その結果、隙間８の間隔を拡大しようとするので、開閉部材２の開放位置に向かう移動を確実に阻止することができる。
【００３４】
一方、開閉部材２を図６の閉鎖位置から図３の開放位置に移行させる場合、ソレノイド３ａが非励磁状態から励磁状態となり、プランジャー３ｂには自重とバネの弾性力が作用するがソレノイド３ａに吸引されて上方に移動するとともに第１連結部材４も上方へ移動し、リブ５fの厚さ分、連携ピン５gと連携部材４b間の隙間９分の移動に伴い、連携部材４ｂの内部の下辺が連携ピン５ｇに当接し、リブ５fと外郭４aが上下方向に離隔しロックが外れる。さらに、連携ピン５ｇの上昇に伴い、一緒に追従して、第２連結部材５が回転軸５ａを中心として反時計方向に回動する。第２連結部材５のアーム５ｃの反時計方向への回動に伴い、アーム５ｃがバネ７を引き伸ばすので、これに打ち勝って、バネ７からアーム５ｃに反時計方向に引き戻すような力が働く。これに伴い、回転軸５ａを中心として軸５ｈが反時計方向に回動し、リンク部材６ｂが揺動し、回転軸６ａが固定軸２ｂの回りに反時計方向に回動する。図７の隙間８が逃し空間として作用することができ、この隙間８の形状が変化できるので、リブ５ｆと外郭４ａが離隔する方向に移動することができる。開放位置に至ると、開閉部材２がストッパ１１（図６参照）に当たり、また、プランジャー３ｂの位置が固定されることにより、第１連結部材４と第２連結部材５の位置が固定されるので、開閉部材２の位置が規制される。
【００３５】
以上説明した本実施形態の入賞装置１によれば、第２連結部材５側にバネ７を連携させ、開閉部材２の閉鎖位置において、バネ７の弾性力で第２連結部材５を常に時計方向に回動しようとするので、開閉部材２のガタやバウンドを防止し、遊技球の開閉部材２への衝突による小刻みな開閉動作を解消できるため、開閉部材２の開口時間を正確に制御できる。また、開閉部材２を開閉限で停止させるストッパ部１０、１１の摩耗を防止でき、耐久性も向上する。さらに第１連結部材４と第２連結部材５の隙間８（遊び分）も最小限にできるため、不正による開閉部材２の外力による開放を最小限にできる。なお、ストッパ１０，１１は開閉限保持のため必要である。
【００３６】
本実施形態の入賞装置１によれば、開閉部材２と第１連結部材４と第２連結部材５とを別体として構成し、ソレノイド３ａとプランジャー３ｂで第１連結部材４を駆動し、バネ７で第２連結部材５の位置を制御することで、安定した開閉部材２の固定が可能である。また、外側から開閉部材２を開放しようとしてもバネ７の弾性力で第２連結部材５の位置を開閉部材２が閉じる方向となるように保持される。このため、遊技者が外側から開閉部材２を開けようと動かしても、第２連結部材５の回動は、微小距離（約０．１ｍｍ）移動しか許容されず、そのリブ５ｆが第１連結部材４の外郭４ａに衝突しロックされ、開閉部材２と第２連結部材５の回動が禁止されるので、不正防止に寄与できる。ソレノイド３ａとプランジャー３ｂで第１連結部材４を動かすことで、リブ５fの厚さ分の距離を過ぎるとロックが円滑に解除され、連携部材４ｂの連携により第２連結部材５が回動する
【００３７】
開閉部材２と第１連結部材４と第２連結部材５とを別体とし、ソレノイド３ａまたは自重で第１連結部材４を駆動し、バネ７で第２連結部材５の位置を開閉部材２が閉鎖方向になるように常に弾性力がかかっているため、開閉部材２のガタやバウンド、あるいは、遊技球が開閉部材２に衝突による小刻みな開閉動作を解消でき、開閉部材の開口時間を正確に制御できる。また、開閉部材を開閉限で停止させるストッパ部の摩耗を防止でき、耐久性も向上する。さらに第１連結部材４と第２連結部材５の隙間８（遊び分）も最小限にできるため、不正による開閉部材２の外力による開放を最小限にできる。
【００３８】
以上の実施形態は、本発明の実施のための好ましい実施形態の例示である。また、当業者は、本発明の開示に鑑みて、本発明の要旨から離れることなく多数の改良、変更、置換、欠失、追加等が可能である。以下にその一例を示す。
（１）本発明の入賞装置は、可変入賞装置、大入賞口、始動入賞装置、普通入賞装置に限らず、入賞口へ遊技球が入賞する機能を備えた入賞装置であれば本発明の範囲内に含まれる。なお、可変入賞装置は電動チューリップ（電チュー）とも呼ばれている。
(２)実施形態では、連携部材４ｂを環状部材とし、連携ピン５ｇとしたが、連携部材４ｂをピンとし、連携ピン５ｇを環状部材として形成することも可能である。
(３)  入賞装置の形状や構成は、実施形態に示す片開き構造位に限られず、一対の羽根を備えた両開き構造でも良い。
(４)  実施形態では、遊技機としてパチンコ機を例示して説明したが、これに限られるものではなく、アレンジボール機やピンボール機、スロットマシン機等の各種遊技機を採用し得る。
【符号の説明】
【００３９】
１・・・入賞装置１
１ａ・・・外殻構造
１ｂ・・・仕切構造
２・・・開閉部材
２ａ・・・羽根
２ｂ・・・固定軸
３・・・駆動部
３ａ・・・ソレノイド
３ｂ・・・プランジャー
３ｃ・・・保持部材
４・・・第１連結部材
４ａ・・・外郭
４ｂ・・・連携部材
４ｃ・・・溝部
５・・・第２連結部材
５ａ・・・回転軸
５ｂ〜５ｄ・・・アーム
５ｅ・・・取付部
５ｆ・・・リブ
５ｇ・・・連携ピン
５ｈ・・・軸
６・・・軸部材
６ａ・・・開閉部材、軸部材、リンク部材の固定軸
６ｂ・・・リンク部材
７・・・バネ
７ａ・・・一端部
７ｂ・・・他端部
８・・・隙間
９・・・隙間
１０・・・ストッパ
１１・・・ストッパ
【図１】
0006539938.tif 000002
【図２】
0006539938.tif 000003
【図３】
0006539938.tif 000004
【図４】
0006539938.tif 000005
【図５】
0006539938.tif 000006
【図６】
0006539938.tif 000007
【図７】
0006539938.tif 000008
【図８】
0006539938.tif 000009
【図９】
0006539938.tif 000010